(57)【要約】【課題】トイレ使用の快適性を高めるのに有利な便座装置を提供する。【解決手段】制御部は、トイレ空間Ｒの温度および季節のうちの少なくとも一方に応じて、温水の設定温度を制御する。トイレ空間Ｒの温度が相対的に低いときまたはトイレ空間Ｒの温度が相対的に低い季節のとき、温水の設定温度Ａを、トイレ空間Ｒの温度が相対的に高いときまたはトイレ空間Ｒの温度が相対的に高い季節のときよりも、上昇させ、且つ、トイレ空間Ｒの温度が相対的に高いときまたはトイレ空間Ｒの温度が相対的に高い季節のとき、温水の設定温度を、トイレ空間Ｒの温度が相対的に低いときまたはトイレ空間Ｒの温度が相対的に低い季節のときよりも、低下させる制御を実行する。【選択図】図２
2007162333.tif 000002
【特許請求の範囲】
【請求項１】
便座と、前記便座に着座する人体の局部に向けて温水を吐出する洗浄部と、前記洗浄部に供給する温水を生成する温水生成用加熱部と、前記温水生成用加熱部を制御する制御部とを有する便座装置において、
前記制御部は、
トイレ空間の温度および季節のうちの少なくとも一方に応じて、前記温水生成用加熱部で加熱される前記温水の設定温度を自動的に制御し、
トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、前記温水の設定温度を自動的に上昇させる制御を実行することを特徴とする便座装置。
【請求項２】
便座と、前記便座に着座する人体の局部に向けて温水を吐出する洗浄部と、前記洗浄部に供給する温水を生成する温水生成用加熱部と、前記温水生成用加熱部を制御する制御部とを有する便座装置において、
前記制御部は、
トイレ空間の温度および季節のうちの少なくとも一方に応じて、前記温水生成用加熱部で加熱される前記温水の設定温度を自動的に制御し、
トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、前記温水の設定温度を自動的に上昇させ、且つ、
トイレ空間の温度が所定温度よりも相対的に高いときまたはトイレ空間の温度が所定温度よりも相対的に高い季節のときには、トイレ空間の温度が所定温度よりも相対的に低いときまたはトイレ空間の温度が所定温度よりも相対的に低い季節のときよりも、前記温水の設定温度を自動的に低下させる制御を実行することを特徴とする便座装置。
【請求項３】
便座と、前記便座を加熱する便座加熱部と、前記便座加熱部を制御する制御部とを有する便座装置において、
前記制御部は、
トイレ空間の温度および季節のうちの少なくとも一方に応じて前記便座の設定温度を自動的に制御し、
トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、前記便座の設定温度を自動的に上昇させる制御を実行することを特徴とする便座装置。
【請求項４】
便座と、前記便座を加熱する便座加熱部と、前記便座加熱部を制御する制御部とを有する便座装置において、
前記制御部は、
トイレ空間の温度および季節のうちの少なくとも一方に応じて前記便座の設定温度を自動的に制御し、
トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、前記便座の設定温度を自動的に上昇させ、且つ、
トイレ空間の温度が所定温度よりも相対的に高いときまたはトイレ空間の温度が所定温度よりも相対的に高い季節のときには、トイレ空間の温度が所定温度よりも相対的に低いときまたはトイレ空間の温度が所定温度よりも相対的に低い季節のときよりも、前記便座の設定温度を自動的に低下させる制御を実行することを特徴とする便座装置。
【請求項５】
請求項１〜４のうちのいずれか一項において、トイレ空間の温度を直接的または間接的に検知する温度検知手段を有することを特徴とする便座装置。
【請求項６】
請求項５において、部品を収容するケースが設けられており、前記温度検知手段の検知部は、前記ケースの底面側、前記ケースのうち前記便座と反対側の側面壁、または、前記ケースの内部に配置されているか、または、前記便座および前記温水生成用加熱部から離れた部位に配置されていることを特徴とする便座装置。
【請求項７】
請求項１〜５のうちのいずれか一項において、トイレ空間の湿度を直接的または間接的に検知する湿度検知手段を有しており、前記制御部は、前記湿度検知手段で検知した湿度に応じて前記設定温度を昇降させることを特徴とする便座装置。
【請求項８】
請求項７において、部品を収容するケースが設けられており、前記湿度検知手段の検知部は、前記ケースの底面側、前記ケースのうち前記便座と反対側の側面壁、または、前記ケースの内部に配置されていることを特徴とする便座装置。
【請求項９】
請求項７または８において、前記制御部は、トイレ空間の温度が第１所定温度よりも高い場合には、トイレ空間の湿度が第１所定湿度よりも高いとき、トイレ空間の湿度が第１所定湿度よりも低いときよりも、前記温水および／または前記便座の設定温度を自動的に低下させることを特徴とする便座装置。
【請求項１０】
請求項１または２において、前記温水の設定温度の好みの温度の高めおよび／または低めを設定する温水好み温度設定部を有することを特徴とする便座装置。
【請求項１１】
請求項３または４において、前記便座の設定温度の好みの温度の高めおよび／または低めを設定する便座好み温度設定部を有することを特徴とする便座装置。
【請求項１２】
請求項１〜４のうちのいずれか一項において、前記制御部は、タイマー機能を有しており、タイマーにより計測した経過時間により現在の季節を判定する季節判定手段と、
前記季節判定手段により冬季と判定されるとき、夏季よりも前記設定温度を自動的に上昇させる温度調整手段を具備することを特徴とする便座装置。
【請求項１３】
請求項１２において、前記季節判定手段により夏季と判定されるとき、前記温度調整手段は、冬季よりも前記設定温度を自動的に低下させることを特徴とする便座装置。
【発明の詳細な説明】
【技術分野】
【０００１】
本発明は便座を備える便座装置に関する。特に、人体局部洗浄機能を有する便座装置に適用できる。
【背景技術】
【０００２】
従来、発熱体および温度検知体を有する便座と、発熱体の発熱温度を温度検知体を介して検出する温度検知手段と、発熱体への通電を制御する通電制御手段と、便座の発熱に影響を及ぼす物理量を計測する物理量計測手段と、温度検出手段および物理量計測手段に基づいて便座の表面温度を推定する表面温度推定手段と、表面温度推定手段に基づいて通電制御手段を制御して発熱体の通電を制御する制御手段とを有するトイレ装置が知られている（特許文献１）。このものによれば、表面温度推定手段は、使用される環境下での学習が既に済んだ複数の固定された結合重み係数を内部にもつ神経回路網膜式手段を有する。このものによれば、発熱体の発熱温度から便座の表面温度を推定している。
【０００３】
また、着座スイッチにより使用者が便座に着座したことを検知すると、予め設定した時間だけ、温度検知手段による検知とは無関係にヒータに通電する制御手段をもつ暖房便座装置が知られている（特許文献２）。このものによれば、着座した直後の便座の温度の低下が抑制される。
【０００４】
また、便座に配置したヒータと、便座の表面温度を検知するサーミスタとを用い、便座の表面温度が予め設定された温度になるように便座制御部が通電を制御し、室温演算部がヒータの通電率から、予め設定した演算式に基づいて温度を演算により求めるトイレ装置が知られている（特許文献３）。演算式で求めた室温に基づいて、乾燥制御部は乾燥機能部を操作させる。
【特許文献１】特開平５−１９９９４７号公報
【特許文献２】特開平６−２４５８７５号公報
【特許文献３】特開２００５−１３７５５６号公報
【発明の開示】
【発明が解決しようとする課題】
【０００５】
上記した人体局部洗浄装置によれば、トイレ空間の温度または年間を通した季節に応じて、温水の設定温度または暖房便座の設定温度を調整するものではない。このためトイレ使用の快適性を高めるには限界があった。
【０００６】
本発明は上記した実情に鑑みてなされたものであり、トイレ空間の温度または季節に応じて温水の設定温度または暖房便座の設定温度を調整することにより、トイレ使用の快適性を高めるのに有利な便座装置を提供することを課題とする。
【課題を解決するための手段】
【０００７】
（１）様相１に係る便座装置は、便座と、便座に着座する人体の局部に向けて温水を吐出する洗浄部と、洗浄部に供給する温水を生成する温水生成用加熱部と、温水生成用加熱部を制御する制御部とを有する便座装置において、制御部は、トイレ空間の温度および季節のうちの少なくとも一方に応じて、温水生成用加熱部で加熱される温水の設定温度を自動的に制御し、トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、温水の設定温度を自動的に上昇させる制御を実行することを特徴とする。温度制御の基準となる所定温度は一つの温度でも良いし、複数の温度でも良い。
【０００８】
様相１に係る便座装置制御部によれば、制御部は、トイレ空間の温度および季節のうちの少なくとも一方に応じて、温水の設定温度を制御する。そして、制御部は、トイレ空間の温度が所定温度よりも相対的に低いときまたはトイレ空間の温度が所定温度よりも相対的に低い季節のとき、トイレ空間の温度が所定温度よりも相対的に高いときまたはトイレ空間の温度が所定温度よりも相対的に高い季節のときよりも、温水の設定温度を自動的に上昇させる。
【０００９】
（２）様相２に係る便座装置は、便座と、便座に着座する人体の局部に向けて温水を吐出する洗浄部と、洗浄部に供給する温水を生成する温水生成用加熱部と、温水生成用加熱部を制御する制御部とを有する便座装置において、制御部は、トイレ空間の温度および季節のうちの少なくとも一方に応じて、温水生成用加熱部で加熱される温水の設定温度を自動的に制御し、トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、温水の設定温度を自動的に上昇させ、且つ、トイレ空間の温度が所定温度よりも相対的に高いときまたはトイレ空間の温度が所定温度よりも相対的に高い季節のとき、トイレ空間の温度が所定温度よりも相対的に低いときまたはトイレ空間の温度が所定温度よりも相対的に低い季節のときよりも、温水の設定温度を自動的に低下させる制御を実行することを特徴とする。温度制御の基準となる所定温度は一つの温度でも良いし、複数の温度でも良い。
【００１０】
様相２に係る便座装置制御部によれば、制御部は、トイレ空間の温度および季節のうちの少なくとも一方に応じて、温水の設定温度を制御する。そして、制御部は、トイレ空間の温度が所定温度よりも相対的に低いときまたはトイレ空間の温度が所定温度よりも相対的に低い季節のとき、トイレ空間の温度が所定温度２よりも相対的に高いときまたはトイレ空間の温度がある所定温度よりも相対的に高い季節のときよりも、温水の設定温度を自動的に上昇させる。また制御部は、トイレ空間の温度がある所定温度よりも相対的に高いときまたはトイレ空間の温度が所定温度よりも相対的に高い季節のとき、トイレ空間の温度が所定温度よりも相対的に低いときまたはトイレ空間の温度が所定温度よりも相対的に低い季節のときよりも、温水の設定温度を自動的に低下させる。
【００１１】
（３）様相３に係る便座装置は、便座と、便座を加熱する便座加熱部と、便座加熱部を制御する制御部とを有する便座装置において、制御部は、トイレ空間の温度および季節のうちの少なくとも一方に応じて、便座の設定温度を自動的に制御し、トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、便座の設定温度を自動的に上昇させる制御を実行することを特徴とする。
【００１２】
制御部は、トイレ空間の温度および季節のうちの少なくとも一方に応じて、便座の設定温度を制御する。制御部は、トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、便座の設定温度を自動的に上昇させる。
【００１３】
（４）様相４に係る便座装置は、便座と、便座を加熱する便座加熱部と、便座加熱部を制御する制御部とを有する便座装置において、制御部は、トイレ空間の温度および季節のうちの少なくとも一方に応じて、便座の設定温度を自動的に制御し、トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、便座の設定温度を自動的に上昇させ、且つ、トイレ空間の温度が所定温度よりも相対的に高いときまたはトイレ空間の温度が所定温度よりも相対的に高い季節のときには、トイレ空間の温度が所定温度よりも相対的に低いときまたはトイレ空間の温度が所定温度よりも相対的に低い季節のときよりも、便座の設定温度を自動的に低下させる制御を実行することを特徴とする。
【００１４】
制御部は、トイレ空間の温度および季節のうちの少なくとも一方に応じて、便座の設定温度を制御する。制御部は、トイレ空間の温度が所定温度よりも相対的に低いときまたはトイレ空間の温度が所定温度よりも相対的に低い季節のときには、トイレ空間の温度が所定温度よりも相対的に高いときまたはトイレ空間の温度が所定温度よりも相対的に高い季節のときよりも、便座の設定温度を自動的に上昇させる。制御部は、トイレ空間の温度が所定温度よりも相対的に高いときまたはトイレ空間の温度が所定温度よりも相対的に高い季節のときには、トイレ空間の温度が所定温度よりも相対的に低いときまたはトイレ空間の温度が所定温度よりも相対的に低い季節のときよりも、便座の設定温度を自動的に低下させる制御を実行する。
【発明の効果】
【００１５】
様相１および２に係る便座装置によれば、トイレ空間の温度および季節のうちの少なくとも一方に応じて、温水の設定温度を自動的に制御する。従って、トイレ空間の温度および季節が変わったとしても、便座に着座する人体の局部に向けて温水の温度を適温化させることができ、トイレ使用の快適性を高めるのに有利となる。
【００１６】
様相３および４に係る便座装置によれば、トイレ空間の温度および季節のうちの少なくとも一方に応じて、暖房便座の設定温度を自動的に制御する。従って、トイレ空間の温度および季節が変わったとしても、便座の温度を適温化させることができ、トイレ使用の快適性を高めるのに有利となる。
【発明を実施するための最良の形態】
【００１７】
トイレ空間の温度が所定温度ＴＫ１よりも相対的に低いときまたはトイレ空間の温度が所定温度ＴＫ１よりも相対的に低い季節のときには、トイレ空間の温度が所定温度ＴＫ２よりも相対的に高いときまたはトイレ空間の温度が所定温度ＴＫ２よりも相対的に高い季節のときよりも、温水の設定温度を自動的に上昇させる制御を実行する。所定温度ＴＫ１および所定温度ＴＫ２は同一温度でも良いし、異なる温度でも良い。ＴＫ１＝ＴＫ２、ＴＫ１≒ＴＫ２、ＴＫ１＜ＴＫ２を採用できる。
【００１８】
トイレ空間の温度を直接的または間接的に検知する温度検知手段を有する形態が例示される。トイレ空間の温度を直接的に検知するとは、トイレ空間の温度を検知する場合をいう。トイレ空間の温度を間接的に検知するとは、トイレ空間ではなく、便座またはケース等の他の部材の温度を直接的に検知することにより、トイレ空間の温度を間接的に検知する場合をいう。
【００１９】
更に、トイレ空間の湿度を直接的または間接的に検知する湿度検知手段を有している形態が例示される。この場合、制御部は、湿度検知手段で検知した湿度に応じて、設定温度を昇降させる形態が例示される。これにより設定温度を湿度に対処させることができる。
【００２０】
また、制御部は、トイレ空間の温度が第１所定温度よりも高く且つトイレ空間の湿度が第１所定湿度よりも高いときには、トイレ空間の湿度が第１所定湿度よりも低いときよりも、設定温度（温水および／または便座の設定温度）を自動的に低下させる形態が例示される。夏季の蒸し暑い時期等に、当該設定温度を低下させるため、快適性が確保される。
【００２１】
本発明によれば、温水の設定温度を手動で操作する温水用の手動設定部を有していても良い。また、便座の設定温度を手動で操作する便座用の手動設定部を有していても良い。使用者の好みが自動にマッチングしないときには、使用者の好みに応じて設定温度（温水および／または便座の設定温度）を手動で設定できる。
【００２２】
本発明によれば、制御部は、トイレ空間の湿度を直接的または間接的に検知する湿度検知手段を有しており、湿度検知手段で検知した湿度に応じて、前記した設定温度を昇降させる形態が例示される。殊に、蒸し暑い湿度が存在するときには、温水の設定温度を自動的に低下させたり、便座加熱部をオフとすることができる。
【００２３】
制御部は、トイレ空間の温度が第１所定温度よりも高く且つトイレ空間の湿度が第１所定湿度よりも高いときには、トイレ空間の湿度が第１所定湿度よりも低いときよりも、便座の設定温度を自動的に低下させる形態が例示される。
【００２４】
本発明によれば、制御部はタイマー機能を有しており、タイマー機能により計測した経過時間により現在の季節を判定する季節判定手段と、季節判定手段により冬季と判定されるとき、夏季よりも設定温度（温水および／または便座の設定温度）を上昇させる温度調整手段を備える形態が例示される。更に、季節判定手段により夏季の判定されるとき、温度調整手段は、冬季よりも設定温度（温水および／または便座の設定温度）を低下させる形態が例示される。制御部のタイマー機能を利用すれば、タイマー機能で季節を判定できるため、温度検知手段で季節を判定せずとも良い。
【００２５】
本発明によれば、部品を収容するケースが設けられており、温度検知手段の検知部および／または湿度検知手段の検知部は、ケースの底面側、ケースのうち便座と反対側の側面壁、または、ケースの内部に配置されている形態が例示される。更に、温度検知手段の検知部および／または湿度検知手段の検知部は、便座および温水生成用加熱部から離れた部位に配置されている形態が例示される。これらの場合、温度検知手段の検知部および／または湿度検知手段の検知部が、暖房便座として機能する便座および温水生成用加熱部から離れるため、検知部の検知精度を確保するのに有利である。温水タンクが搭載される場合には、温水タンクからも離すことが好ましい。こられの部品から離れる距離としては、適宜選択できるが、３センチメートル以上、５センチメートル以上が好ましく、１０センチメートル以上、５０センチメートル以上とすることもできる。あるいは、温度検知手段の検知部および／または湿度検知手段の検知部と、便座または／および温水生成用加熱部との間に断熱構造（例えば断熱空間、断熱材）を適宜設けることができる。
【実施例１】
【００２６】
以下、本発明を具体化した実施例１を図１〜図６を参照して説明する。図１に示すように、本実施例に係る便座装置は人体局部洗浄装置１である。人体局部洗浄装置１は、洋式の便器２の後部に装備されるものであり、上面に操作パネル３をもつ基部としてのケース４と、ケース４に回動可能に設けられた便座５と、ケース４に回動可能に設けられた便蓋６とを備える。洗浄部は、女性局部洗浄ノズル７と、排便局部洗浄ノズル８とからなる。ケース４は制御基板などが配置されたものであり、便座５の後方（便座５に着座する使用者の顔が向く方向と反対方向）に位置する第１ケース４ａと、第１ケース４ａと一体的な第２ケース４ｃとを有する。第２ケース４ｃは、便座５に着座する使用者の側方に配置されている。
【００２７】
女性局部洗浄ノズル７は、不使用時には使用者から見えぬように隠蔽されており、女性局部洗浄スイッチ９が操作されると、便座５に着座している使用者の女性局部に向けて前進し、使用終了であれば、再び、後退して隠蔽される。排便局部洗浄ノズル８は、不使用時には使用者から見えぬように隠蔽されており、排便局部洗浄スイッチ１０が操作されると、便座５に着座している使用者の排便局部に向けて前進し、使用終了であれば、再び、後退して隠蔽される。
【００２８】
図２はブロック図を示す。図２に示すように、女性局部洗浄スイッチ９と、排便局部洗浄スイッチ１０と、洗浄部を構成する女性局部洗浄ノズル７及び排便局部洗浄ノズル８にそれぞれ供給する温水を生成する温水生成用ヒータ１１（温水生成用加熱部）と、便座５を加熱する便座ヒータ１２（便座加熱部）と、トイレ空間Ｒの温度Ｔａを検知する温度センサ１３（温度検知手段）と、トイレ空間Ｒの湿度Ｗａを検知する湿度センサ１４（湿度検知手段）と、温水の設定温度Ａおよび便座５の設定温度Ｂを自動的に設定する自動モードに切り替える自動モード設定スイッチ１５（自動モード設定部）と、温水の設定温度Ａを手動で設定する温水用の手動設定スイッチ１６（手動設定部）と、便座５の設定温度Ｂを手動で設定する暖房便座用の手動設定スイッチ１７（手動設定部）とが設けられている。
【００２９】
また、自動モード設定スイッチ１５が自動モードに設定されているとき、温水の好みの温度を高めまたは低めに使用者が設定する温水好み温度設定スイッチ２０（温水好み温度設定部）と、便座５の好みの温度を高めに使用者が設定する便座好み温度設定スイッチ２２（便座好み温度設定部）とが第２ケース部４ｃの上面に設けられている操作パネル３に設けられている。これらの信号は制御部２４に入力される。制御部２４は、入力処理回路２５と、マイコン２６と、マイコン２６からの信号に基づいて制御信号を出力する出力処理回路２７と、ＲＡＭ、ＲＯＭ等のメモリ２８（記憶媒体）とを有する。マイコン２６はタイマー機能を有する。
【００３０】
温水生成用ヒータ１１は、給水通路に繋がるようにケース４に搭載されているタンクに収容されている水をヒータで加熱する温水タンクタイプでも良いし、温水タンクを有さず、ケース４に搭載されている給水通路の水をヒータで加熱する瞬間給湯タイプでも良い。便座ヒータ１２は便座５に搭載されている発熱体で形成されている。温度センサ１３および湿度センサ１４はケース４に搭載されていても良いし、あるいは、ケース４から離れたトイレ空間Ｒの室壁あるいはトイレ空間Ｒの他の部位に設けられていても良い。
【００３１】
なお、人体局部洗浄装置１がリモコン装置（図示略）で操作される形態のものであれば、温度センサ１３および湿度センサ１４を、リモコン装置内に収容しても良い。この場合、リモコン装置は、便座５や温水生成用ヒータ１１から離れて熱的に遮断された、トイレ空間Ｒの室壁等に着脱自在に吊設されるので、温水または暖房便座の影響が回避され、温度および／または湿度の検出精度が確保される。リモコン装置は洗浄スイッチ等の各種スイッチをユーザが操作するものである。
【００３２】
自動モード設定スイッチ１５が自動モードに設定されているときには、制御部２４は、トイレ空間Ｒの温度Ｔａに応じて、温水の設定温度Ａ、便座５の設定温度Ｂの双方を自動で制御する。具体的には、トイレ空間Ｒの温度Ｔａが相対的に低いときには、トイレ空間Ｒの温度が所定温度よりも相対的に高いときよりも、制御部２４は、温水の設定温度Ａを自動的に上昇させる制御を実行する。また、トイレ空間Ｒの温度Ｔａが相対的に高いときには、トイレ空間Ｒの温度が所定温度よりも相対的に低いときよりも、制御部２４は、温水の設定温度Ａを自動的に低下させる制御を実行する。
【００３３】
このように制御部２４は、トイレ空間Ｒの温度Ｔａの変化に応じて、人体の局部を洗浄する温水の設定温度Ａを自動で設定する。このためトイレ空間Ｒの温度Ｔａの変化の如何に拘わらず、女性局部洗浄ノズル７から人体の女性局部に向けて吐出される温水や排便局部洗浄ノズル８から人体の排便局部に向けて吐出される温水が適温となる。即ち、季節の如何に拘わらず、あるいは、早朝、夜間、昼間の如何に拘わらず、女性局部洗浄ノズル７や排便局部洗浄ノズル８から人体の局部に向けて吐出される温水が適温となる。
【００３４】
更に本実施例によれば、トイレ空間Ｒの温度Ｔａが相対的に低いときには、トイレ空間Ｒの温度Ｔａが相対的に高いときよりも、制御部２４は、便座５の設定温度Ｂを上昇させる制御を実行する。また、トイレ空間Ｒの温度Ｔａが相対的に高いときには、、トイレ空間Ｒの温度が所定温度よりも相対的に低いときよりも、制御部２４は、便座５の設定温度Ｂを低下させる制御を実行する。このようにトイレ空間Ｒの温度Ｔａの変化に応じて便座５の設定温度Ｂを自動で設定する。このためトイレ空間Ｒの温度Ｔａの変化の如何に拘わらず、便座５の温度が適温となる。即ち、季節の如何に拘わらず、あるいは、早朝、夜間、昼間の如何に拘わらず、便座５の温度が適温となる。
【００３５】
図３および図４は制御部２４が実行するフローチャートの一例を示す（フローチャートはこれに限定されるものではない）。まず、自動モード設定スイッチ１５の状態を読み込む（ステップＳ２）。そして、自動モード設定スイッチ１５が自動モードに設定されているか否か判定する（ステップＳ３）。ＹＥＳであれば、温水の設定温度Ａと便座５の設定温度Ｂとを自動で設定する自動モードを実行する（ステップＳ４）。ＮＯであれば、手動制御モードを実行する（ステップＳ６）。
【００３６】
図４は自動モードのフローチャートを示す。図４に示すように、制御部２４は、温度センサ１３が検知するトイレ空間Ｒの温度Ｔａの信号を読み込む（ステップＳ４０２）。この場合、複数個の信号を読み込み、平均値をトイレ空間Ｒの温度Ｔａとする。次に制御部２４は、検知温度Ｔａと低温側の第１しきい値温度Ｔ１とを比較する（ステップＳ４０４）。検知温度Ｔａが第１しきい値温度Ｔ１未満であれば、冬季に相当するため、制御部２４は、温水の設定温度ＡをＡhigh（高温：例えば４０℃）設定し、且つ、便座５の設定温度ＢをＢhigh（高温：例えば４０℃）に設定する（ステップＳ４０６）。従ってステップＳ４０６は、トイレ空間Ｒの温度Ｔａ温度が所定温度よりも相対的に低いとき、温水の設定温度および便座５の設定温度を自動的に上昇させる昇温手段として機能する。
【００３７】
また検知温度Ｔａが第１しきい値温度Ｔ１以上であれば、制御部２４は、検知温度Ｔａと高温側の第２しきい値温度Ｔ２とを比較する（ステップＳ４０８）。そして検知温度Ｔａが第２しきい値温度Ｔ２未満であれば、春季または秋季に相当するため、制御部２４は、温水の設定温度ＡをＡmiddle（中温：例えば３８℃）に設定する。更に、便座５の設定温度ＢをＢmiddle（中温：例えば３６℃）に設定する（ステップＳ４１０）。
【００３８】
そして検知温度Ｔａが第２しきい値温度Ｔ２以上であれば、夏季に相当するため、制御部２４は、温水の設定温度ＡをＡlow（低温：例えば３６℃）に設定する。更に、便座５の設定温度ＢをＢlow（低温：例えば２６℃）に設定する（ステップＳ４１２）。従ってステップＳ４１２は、トイレ空間Ｒの温度Ｔａ温度が所定温度よりも相対的に高いとき、温水の設定温度および便座５の設定温度を自動的に上昇させる降温手段として機能する。なお、検知温度Ｔａが第２しきい値温度Ｔ２以上であれば、制御部２４は、便座５の設定温度Ｂをオフにして断電状態に設定しても良い。なお、Ａhigh＞Ａmiddle＞Ａlowの関係とされている。また、Ｂhigh＞Ｂmiddle＞Ｂlowの関係とされている。本実施例では、湿度センサ１４が設けられているが、特に必要が無ければ、廃止しても良い。
【００３９】
上記した制御が実行される本実施例によれば、女性局部洗浄ノズル７及び排便局部洗浄ノズル８から吐出される温水の設定温度Ａとしては、トイレ空間Ｒの温度Ｔａの変化に応じて自動的に、図５に示すような温度調整特性とされる。従って本実施例によれば、夏、秋、冬、春といった季節の変化に応じて、女性局部洗浄ノズル７および排便局部洗浄ノズル８から吐出される温水の設定温度Ａを３６〜４０℃の範囲内において自動的に調整することができ、トイレ使用の快適性を高めるのに有利となる。従って、季節が変わったとしても、使用者が温水の設定温度Ａを季節の変化に合わせて手動調整せずとも良い。
【００４０】
また、便座５の温度としては、トイレ空間Ｒの温度Ｔａの変化に応じて自動的に、図６に示すような温度調整特性とされる。従って本実施例によれば、夏、秋、冬、春といった季節の変化に応じて、便座５の設定温度Ｂを２６〜４０℃の範囲内において自動的に調整することができ、トイレ使用の快適性を高めるのに有利となる。従って、季節が変わったとしても、使用者が便座５の設定温度Ｂを季節の変化に合わせて調整せずとも良い。なお、図５および図６に示す縦軸の温度の数値は例示であり、この数値に限定されるものではない。
【００４１】
なお、温水の設定温度Ａおよび便座５の設定温度Ｂについては、トイレが使用されず待機しているときにおいても設定されるようにしても良い。あるいは、使用者がトイレ室に入室したり、便座５に着座したりするとき、設定されるようにしても良い。
【実施例２】
【００４２】
実施例２は実施例１と基本的には同様の作用、効果を有する。本実施例によれば、トイレ空間Ｒの湿度を直接的または間接的に検知する湿度センサ１４（湿度検知手段）が温度センサ１３と共にケース４またはトイレ空間Ｒの壁に設けられている。制御部２４は、湿度センサ１４で検知した湿度に応じて、温水の設定温度Ａを昇降させる。即ち、トイレ空間Ｒの温度Ｔａが第１所定温度、つまりＴ２よりも高いとき、且つ、トイレ空間Ｒの湿度Ｗａが第１所定湿度Ｗａ１（高湿：例えば湿度６０％）よりも高いときには、使用者は蒸し暑く感じる。このため、制御部２４は、トイレ空間Ｒの湿度Ｗａが第１所定湿度Ｗａ１（例えば湿度６０％）よりも低いときよりも、温水の設定温度ＡをΔＴ１（例えば１〜２℃の任意値）低下させる。更に制御部２４は、便座５の設定温度ＢをΔＴ２（例えば１〜２℃の任意値）低下させるか、あるいは、便座ヒータ１２をオフとして断電状態とする。これにより温水の設定温度Ａと、便座５加熱の設定温度Ｂとを、蒸し暑い時期に対処させることができる。
【００４３】
図７は自動モードのフローチャートを示す。図７に示すように、先ず、温度センサ１３が検知するトイレ空間Ｒの温度Ｔａの信号と、湿度センサ１４が検知するトイレ空間Ｒの湿度Ｗａの信号とを読み込む（ステップＳＨ４０２）。検知温度Ｔａが第１しきい値温度Ｔ１未満であれば、冬季に相当するため、温水の設定温度ＡをＡhigh（高温：例えば４０℃）設定し、且つ、便座５の設定温度ＢをＢhigh（高温：例えば４０℃）に設定する（ステップＳＨ４０６）。従ってステップＳＨ４０６は、トイレ空間Ｒの温度Ｔａ温度が所定温度よりも相対的に低いとき、温水の設定温度および便座５の設定温度を自動的に上昇させる昇温手段として機能する。
【００４４】
また検知温度Ｔａが第１しきい値温度Ｔ１以上であれば、検知温度Ｔａと第２しきい値温度Ｔ２とを比較する（ステップＳＨ４０８）。そして検知温度Ｔａが第２しきい値温度Ｔ２未満であれば、春季または秋季に相当するため、温水の設定温度ＡをＡmiddle（中温：例えば３８℃）に設定し、且つ、便座５の設定温度ＢをＢmiddle（中温：例えば３６℃）に設定する（ステップＳＨ４１０）。
【００４５】
そして検知温度Ｔａが第２しきい値温度Ｔ２（第１所定温度に相当）以上であれば、トイレ空間Ｒの温度Ｔａは相対的に高温であり、夏季と判定されるため、トイレ空間Ｒの湿度Ｗａと第１所定湿度Ｗａ１（例えば湿度６０％）とを比較する（ステップＳＨ４０９）。トイレ空間Ｒの湿度Ｗａが第１所定湿度Ｗａ１（例えば湿度６０％）よりも低ければ、使用者はあまり蒸し暑く感じない。そこで、温水の設定温度ＡをＡlow（低温：例えば３６℃）に設定し、且つ、便座５の設定温度ＢをＢlow（低温：例えば２６℃）に設定する（ステップＳＨ４１２）。従って、ステップＳＨ４１２は、トイレ空間Ｒの温度Ｔａ温度が所定温度よりも相対的に低いとき、温水の設定温度および便座５の設定温度を下降させる降温手段として機能する。
【００４６】
これに対して検知温度Ｔａが第２しきい値温度Ｔ２以上であり、且つ、トイレ空間Ｒの湿度Ｗａが第１所定湿度Ｗａ１（例えば湿度６０％）よりも高いときには、使用者は蒸し暑く感じると判定される。このため、制御部２４は、温水の設定温度ＡをＡlowよりもΔＴ１（例えば１〜２℃の任意値）低下させると共に、便座５の設定温度ＢをＢlowよりもΔＴ２（例えば１〜２℃の任意値）低下させる（ステップＳＨ４１４）。従ってステップＳＨ４１４は、高湿であり蒸し暑いと使用者が感じると判定されるとき、温水の設定温度Ａおよび／または便座５の設定温度Ｂを下降させる高湿降温手段として機能する。
【００４７】
ここで、ΔＴ１＝ΔＴ２、ΔＴ１≒ΔＴ２、ΔＴ１＞ΔＴ２、ΔＴ１＜ΔＴ２のいずれでも良い。なお、第１所定湿度Ｗａ１は例えば湿度６０％としているが、これに限らず、湿度は８０％、９０％、９５％としても良い。
【００４８】
本実施例においても、実施例１と同様に、トイレ空間Ｒの温度Ｔａの変化の如何に拘わらず、女性局部洗浄ノズル７や排便局部洗浄ノズル８から人体の局部に向けて吐出される温水が適温となる。即ち、季節の如何に拘わらず、あるいは、早朝、夜間、昼間の如何に拘わらず、便座５の温度が適温となる。
【００４９】
更に、使用者が蒸し暑く感じるときであっても、便座５加熱の設定温度ＡをΔＴ１低下させると共に、便座５の設定温度ＢをΔＴ２低下させるため、蒸し暑さに対処することができる。
【実施例３】
【００５０】
実施例３は実施例１，２と基本的には同様の作用、効果を有する。本実施例では、制御モードが自動モードに設定されているとき、温水の好みの温度を設定する温水好み温度設定スイッチ２０（温水好み温度設定部）と、便座５の好みの温度を設定する便座好み温度設定スイッチ２２（便座好み温度設定部）に基づいて、好み温度設定モードを実行する。
【００５１】
図８は好み温度設定モードのフローチャートを示す。図８に示すように、温水の好み温度を設定する温水好み温度設定スイッチ２０の状態と、便座５の好みの温度を設定する便座好み温度設定スイッチ２２の状態とを読み込む（ステップＳ６０２）。温水好み温度設定スイッチ２０の操作状態を判定し（ステップＳ６０４）、温水好み温度設定スイッチ２０が高めに設定されていると、設定温度Ａにα１を加算し、設定温度Ａを更新する（ステップＳ６０８）。従ってステップＳ６０８は、温水好み温度設定スイッチ２０が高めに設定されているとき、設定温度Ａを高めに更新する更新手段として機能する。
【００５２】
温水好み温度設定スイッチ２０が低めに設定されていると、設定温度Ａからα２を減算し、設定温度Ａを更新する（ステップＳ６１０）。従ってステップＳ６１０は、温水好み温度設定スイッチ２０が低めに設定されているとき、設定温度Ａを低めに更新する更新手段として機能する。なお、α１＝α２、α１≒α２、α１＜α２、α１＞α２のいずれでも良い。
【００５３】
次に、便座好み温度設定スイッチ２２の状態を判定する（ステップＳ６１２）。便座好み温度設定スイッチ２２が高めに設定されていると、設定温度Ｂにβ１を加算し、設定温度Ｂを更新する（ステップＳ６１４）。従ってステップＳ６１４は、便座好み温度設定スイッチ２２が高めに設定されているとき、便座５の設定温度Ｂを高めに更新する更新手段として機能する。
【００５４】
また、便座好み温度設定スイッチ２２が低めに設定されていると、設定温度Ｂからβ２を減算し、設定温度Ｂを更新する（ステップＳ６１６）。従ってステップＳ６１６は、便座好み温度設定スイッチ２２が低めに設定されているとき、便座５の設定温度Ｂを低めに更新する更新手段として機能する。なお、β１＝β２、β１≒β２、β１＜β２、β１＞β２のいずれでも良い。
【００５５】
図９は温水の設定温度Ａの変化、つまり、温水の温度変化を示す。図１０は便座５の設定温度Ｂの変化を示す。使用者の好みに応じて、温水の設定温度Ａ（標準設定温度）に対してα１高めに設定されたり、設定温度Ａに対してα２低めに設定されたりできる。また使用者の好みに応じて、便座５の設定温度Ｂに対してβ１高めに設定されたり、便座５の設定温度Ｂ（標準設定温度）に対してβ２低めに設定されたりできる。なお、図９および図１０に示す縦軸の温度の数値は例示であり、これに限定されるものではない。
【実施例４】
【００５６】
実施例４は実施例１と基本的には同様の作用、効果を有する。制御部２４のマイコン２６はタイマー機能を有しており、タイマー機能により基準時刻から計測した経過時間を計測しており、経過時間により現在の季節を判定し、季節に応じて温水生成用ヒータ１１（温水生成用加熱部）の設定温度Ａおよび便座５の設定温度Ｂを制御する。トイレ空間Ｒの湿度を直接的または間接的に検知する湿度センサ１４（湿度検知手段）が設けられている。本実施例では、トイレ空間Ｒの温度を検知する温度センサ１３は設けられていないので、コスト低廉化を図り得る。
【００５７】
図１１は自動モードのフローチャートを示す。図１１に示すように、基準時刻からの経過時間を読み込む（ステップＳＭ４０２）。この場合、排便局部洗浄スイッチ１０または女性局部洗浄スイッチ９等のスイッチ（あるいは着座センサ設けられているときには、着座センサでも良い）がオン操作されたとき、経過時間を読み込むことができる。経過時間から、現在の季節が冬季であるか否か判定する（ステップＳＭ４０４）。現在の季節が冬季であると判定されると、制御部２４は、温水の設定温度ＡをＡhigh（高温：例えば４０℃）設定し、且つ、便座５の設定温度ＢをＢhigh（高温：例えば４０℃）に設定する（ステップＳＭ４０６）。また季節が冬季でなければ、制御部２４は経過時間から、現在の季節が夏季であるか否か判定する（ステップＳＭ４０８）。そして季節が夏季でなければ、季節が春季または秋季と相当するため、制御部２４は、温水の設定温度ＡをＡmiddle（中温：例えば３８℃）に設定し、且つ、便座５の設定温度ＢをＢmiddle（中温：例えば３６℃）に設定する（ステップＳＭ４１０）。
【００５８】
そして季節が夏季であれば、トイレ空間Ｒの温度Ｔａは相対的に高温であり、蒸し暑さを考慮する必要がある。このため、制御部２４は、トイレ空間Ｒの湿度Ｗａと第１所定湿度Ｗａ１（例えば湿度６０％）とを比較する（ステップＳＭ４０９）。トイレ空間Ｒの湿度Ｗａが第１所定湿度Ｗａ１（例えば湿度６０％）よりも低ければ、使用者はあまり蒸し暑く感じないと判定される。そこで、制御部２４は、温水の設定温度ＡをＡlow（低温：例えば３６℃）に設定し、且つ、便座５の設定温度ＢをＢlow（低温：例えば２８℃）に設定する（ステップＳＭ４１２）。
【００５９】
これに対して、トイレ空間Ｒの湿度Ｗａが第１所定湿度Ｗａ１（例えば湿度６０％）よりも高いときには、使用者は蒸し暑く感じると判定される。このため、制御部２４は、便座加熱の設定温度ＡをＡlowよりもΔＴ１（例えば１〜２℃の任意値）低下させると共に、便座５の設定温度ＢをＢlowよりもΔＴ２（例えば１〜２℃の任意値）低下させる（ステップＳＭ４１４）。あるいは便座ヒータ１２をオフとして断電状態としても良い。ここで、ΔＴ１＝ΔＴ２、ΔＴ１≒ΔＴ２、ΔＴ１＞ΔＴ２、ΔＴ１＜ΔＴ２のいずれでも良い。
【００６０】
ここで、ステップＳＭ４０２，４０４，４０８は、タイマー機能により計測した基準時刻からの経過時間により、現在の季節を判定する季節判定手段として機能できる。ステップＳＭ４０６，４１０，４１２は、季節判定手段で判定した季節に応じて、温水の設定温度Ａおよび便座の設定温度Ｂを制御し、冬季のとき、夏季よりも設定温度Ａおよび設定温度Ｂを上昇させ、且つ、夏季のとき、冬季のときよりも設定温度Ａおよび設定温度Ｂを低下させる温度調整手段として機能できる。ステップＳＭ４１４は、使用者が蒸し暑く感じると判定されるとき、温水の設定温度Ａおよび便座５の設定温度Ｂを標準設定温度よりも低下させる降温手段として機能する。
【００６１】
本実施例においても、実施例１と同様に、季節の変化の如何に拘わらず、女性局部洗浄ノズル７や排便局部洗浄ノズル８から人体の局部に向けて吐出される温水が適温となる。即ち、季節の如何に拘わらず、便座５の温度が適温となる。更に、梅雨時期などのように使用者が蒸し暑く感じるときであっても、便座５加熱の設定温度ＡをΔＴ１低下させると共に、便座５の設定温度ＢをΔＴ２低下させるため、蒸し暑さに対処することができる。
【実施例５】
【００６２】
図１２は実施例５を示す。実施例５は前記した各実施例と基本的には同様の作用、効果を有する。本実施例によれば、温度センサ１３の検知部１３ａおよび湿度センサ１４の検知部１４ａは、ケース４の底面４ｅ側に形成されている。具体的には、温度センサ１３の検知部１３ａおよび湿度センサ１４の検知部１４ａは、ケース４のうち操作パネル３をもつ第２ケース４ｃの底面４ｅ側に形成された凹状部４ｆにおいて、トイレ空間Ｒの温度を検知できるように配置されている。
【００６３】
このため便座５が暖房便座として機能するときであっても、あるいは、温水の温度が高いときであっても、温度センサ１３および湿度センサ１４が暖房便座や温水の影響を受けることを抑制でき、検知精度が確保される。殊に、便座５が暖房便座として機能するとき、対流により暖気は上方に向かい易いことを考慮して、検知部１３ａ，１４ａは、第２ケース４ｃの底面４ｅ側に配置されている。更に、検知部１３ａ，１４ａが底面４ｅに配置されているため、水、塵等が検知部１３ａ，１４ａに付着することが抑制される。第２ケース４ｃの外壁４ｍは、便座５が暖房便座として機能するとき、遮熱機能を果たす。
【実施例６】
【００６４】
図１３は実施例６を示す。実施例６は前記した各実施例と基本的には同様の作用、効果を有する。本実施例によれば、温度センサ１３の検知部１３ａおよび湿度センサ１４の検知部１４ａは、ケース４の側面４ｓ側に形成されている。具体的には、温度センサ１３の検知部１３ａおよび湿度センサ１４の検知部１４ａは、ケース４の第２ケース４ｃの側面４ｓ側に形成された凹状部４ｆに外気（トイレ空間Ｒ）に対面するように配置されている。側面４ｓは、第２ケース４ｃのうち便座５と反対側に配置されている。このため便座５が暖房便座として機能するときであっても、あるいは、温水の温度が高いときであっても、温度センサ１３および湿度センサ１４が暖房便座や温水の影響を受けることを抑制でき、検知精度が確保される。殊に、側面４ｓ側に形成された凹状部４ｆに検知部１３ａ，１４ａが配置されているため、水、塵等が検知部１３ａ，１４ａに付着することが抑制される。第２ケース４ｃの外壁４ｍは、便座５が暖房便座として機能するとき、遮熱機能を果たす。
【実施例７】
【００６５】
図１４は実施例７を示す。実施例７は前記した各実施例と基本的には同様の作用、効果を有する。本実施例によれば、温度センサ１３の検知部１３ａおよび湿度センサ１４の検知部１４ａは、ケース４の第２ケース４ｃの収容室４ｋの内部において、断熱壁４ｐで覆われた状態で配置されている。温水生成用ヒータ１１はケース４の第１ケース４ａに配置されており、第２ケース４ｃには温水生成用ヒータ１１は配置されていない。このため温水の温度が高いときであっても、あるいは、便座５が暖房便座として機能するときであっても、温度センサ１３および湿度センサ１４が暖房便座や温水の温度の影響を受けることを抑制できる。従って温度センサ１３および湿度センサ１４の検知精度が確保される。なお、第２ケース４ｃの外壁４ｍは、便座５が暖房便座として機能するとき、遮熱機能を果たす。
【００６６】
（その他）本発明は上記し且つ図面に示した実施例のみに限定されるものではなく、例えば、女性局部洗浄ノズル及び排便局部洗浄ノズルの双方が用いられているが、いずれか一方でも良い等、要旨を逸脱しない範囲内で適宜変更して実施できるものである。温度センサ１３の検知部１３ａおよび湿度センサ１４の検知部１４ａは、これに対する温水または暖房便座による熱影響を避けるため、トイレ空間Ｒを区画する壁に取り付けたパネル、または、トイレ空間Ｒを区画する壁、人体局部洗浄装置１等に着脱可能に取り付けられるリモコン装置に配置しても良い。
【図面の簡単な説明】
【００６７】
【図１】実施例１に係り、人体局部洗浄装置を装備した便器の斜視図である。
【図２】人体局部洗浄装置の制御部のブロック図である。
【図３】制御部が実行するフローチャートである。
【図４】制御部が実行するフローチャートである。
【図５】温水温度の変化状態の一例を示すグラフである。
【図６】便座温度の変化状態の一例を示すグラフである。
【図７】実施例２に係り、制御部が実行するフローチャートである。
【図８】実施例３に係り、好み温度設定モードのフローチャートである。
【図９】温水温度の変化状態の一例を示すグラフである。
【図１０】便座温度の変化状態の一例を示すグラフである。
【図１１】実施例４に係り、制御部が実行するフローチャートである。
【図１２】実施例５に係り、温度センサおよび湿度センサの配置を示す構成図である。
【図１３】実施例６に係り、温度センサおよび湿度センサの配置を示す構成図である。
【図１４】実施例７に係り、温度センサおよび湿度センサの配置を示す構成図である。
【符号の説明】
【００６８】
１は人体局部洗浄装置（便座装置）、２は便器、５は便座、７は女性局部洗浄ノズル（洗浄部）、８は排便局部洗浄ノズル（洗浄部）、９は女性局部洗浄スイッチ、１０は排便局部洗浄スイッチ、１１は温水生成用ヒータ（温水生成用加熱部）、１２は便座ヒータ（便座加熱部）、１３は温度センサ（温度検知手段）、１３ａは検知部、１４は湿度センサ（湿度検知手段）、１４ａは検知部、１５は自動モード設定スイッチ（自動モード設定部）、２０は温水好み温度設定スイッチ（温水好み温度設定部）、２２は便座好み温度設定スイッチ（便座好み温度設定部）を示す。
【図１】
2007162333.tif 000003
【図２】
2007162333.tif 000004
【図３】
2007162333.tif 000005
【図４】
2007162333.tif 000006
【図５】
2007162333.tif 000007
【図６】
2007162333.tif 000008
【図７】
2007162333.tif 000009
【図８】
2007162333.tif 000010
【図９】
2007162333.tif 000011
【図１０】
2007162333.tif 000012
【図１１】
2007162333.tif 000013
【図１２】
2007162333.tif 000014
【図１３】
2007162333.tif 000015
【図１４】
2007162333.tif 000016